(57)【要約】【課題】  足に歪みを生じさせることが少ないインソールや履物類を製造すべく、これまでにない新しい型の製造方法とこの方法を用いて作られる新規な型を提供することを課題とする。【解決手段】  この発明では、従来例のようにただ現状の足に対してその足型をいかに正確に取るかを重視するのではなく、現状の足をまず体重の掛かっていない自然な状態の足（正常に近づいた足）に戻しておき、この正常に近づいた足に付いてその型を取るようにした点に特徴を有する。従ってこの発明の履物類によれば、アーチ全体や指をあるべき姿に保つことが出来ると言う効果を奏する。さらに履くだけで足先の反りや捩れや外反母趾などと言った問題が補正される可能性がある。【選択図】図１
2013226362.tif 000002
【特許請求の範囲】
【請求項１】
足に体重が掛からない姿勢を取らせつつ足の型を取る、足裏型の製造方法。
【請求項２】
足に体重が掛からない姿勢を取らせつつ足裏の型を取って指部分を除いた部位に係るアーチ部足裏型を得る第１の工程と、このアーチ部足裏型に足を宛がい指部分の型を取って指裏型を得る第２の工程と、前記アーチ部足裏型と前記指裏型とを合わせて足全体の全体足裏型を得る第３の工程と、を経る足裏型の製造方法。
【請求項３】
前記第１の工程に於いて、足裏にテーピングを行って体重が掛かっていない足裏形状を保ちながらアーチ部足裏型を得るようにする、請求項２に記載の足裏型の製造方法。
【請求項４】
前記第１の工程に於いて、ギプス包帯を用いてアーチ部足裏型を得る、請求項２に記載の足裏型の製造方法。
【請求項５】
固まった前記ギプス包帯を雌型として、指が納まっていた部分に詰め物を施し、詰め物を施していない部分を用いてアーチ部足裏型の雄型を得る、請求項４に記載の足裏型の製造方法。
【請求項６】
請求項１または請求項２に記載の足裏型の製造方法を用いて更に、足に前記全体足裏型の雌型を宛がい足の全体の型を取って足型を得る、足型の製造方法。
【請求項７】
ギプス包帯を用いて前記足型の雌型を取り、更にこの雌型を用いて雄型を得る、請求項６に記載の足型の製造方法。
【請求項８】
請求項１または請求項２に記載の足裏型の製造方法を用いて製造された足裏型。
【請求項９】
請求項６に記載の足型の製造方法を用いて製造された足型。
【請求項１０】
請求項１または請求項２に記載の足裏型の製造方法を用いて製造されたインソールまたは履物。
【請求項１１】
請求項６に記載の足型の製造方法を用いて製造されたインソールまたは履物。
【発明の詳細な説明】
【技術分野】
【０００１】  この発明は、足に体重が掛かっていない状態にすると共に足の型を取る作業がしやすいようにするために、身体を俯せや仰向けに寝かせて足の型を取ると言う、足裏型や足型の製造方法や、この方法を用いて作られた足裏型や足型や、この型を用いて作られたインソールや履物類に関する。
【背景技術】
【０００２】  一般的なオーダーメードシューズの製造方法としては足長、幅、高さ、足囲、踵幅などについて採寸を行い、予め多種類を用意している標準的な靴型の中から、採寸したものに最も近いものを選択し、それを修正する方法が採られて来た。この方法によれば価格的には安価であるものの、必ずしも採寸に忠実な靴型を提供出来ているとは言い難い。そこで高価ではあるもののより適切な靴型を取る方法としてフルオーダーメイドシューズの製造方法が実施されている。これは上記同様に、あるいはそれ以上に精密に足長、幅、高さ、足囲、踵幅などについて採寸を行い、この測定結果を基にコロシや捨て寸と言った調整を加えて、ユーザーの足にピタリと合った靴型を得る方法である。【０００３】  例えば特開平０９−２７６００５号の「フル・オーダーメイド靴の靴型の製造方法並びにそれに用いる足型採取器」では、熱可塑性樹脂を材料としてこれを加熱溶融させて餅状にしたものを足の周りに引き延ばして足部立体輪郭体を形成するが、または予め熱可塑性樹脂シートを靴の型紙状に切り取り電気鏝によって模型足立体輪郭体である足型採取器を作っておき、この足型採取器を加熱軟化させたものを足に履かせて足部立体輪郭体を形成し、この足部立体輪郭体が固まるまでに各種修正を加えて、靴型を製造するようにしている。実施例では足型採取台や型取り台が用いられ、この上に足を載せるようにして靴型が取られる。【０００４】  また特開平０１−１７５８０２号の「靴型の製造法」によれば、型取り槽内に足を入れて未硬化の型取り材を注入し、型取り材が固化したら足を抜いて雌型とし、この中に硬化性液材を注入し固化させ脱型して雄型を作り、これを元に切削や肉盛りが為された靴型が作られる。
【先行技術文献】
【特許文献】
【０００５】
【特許文献１】特開平０９−２７６００５号公報
【特許文献２】特開平０１−１７５８０２号公報
【発明の概要】
【発明が解決しようとする課題】
【０００６】  上記特開平０９−２７６００５号では、上記足型採取台や型取り台で希望するヒール高に合わせた傾斜を持つ台の上に足を乗せ、その形に沿って硬化させれば、靴を履いた状態そのままの形状の足型を採取することが出来るとされている。また特開平０１−１７５８０２号では、型取り槽の底部に、あるいは型取り槽内に下敷成形物を敷きその上に、体重を掛けた状態で型取り材を固化させることが重要であるとされている。靴を履く時は体重が掛かって足が変形した状態になるので、その状態を再現すると言うのである。【０００７】  ところでその取るべき足型に関して、大きな問題が潜んでいることはこれまでに知られていなかった。人は誰でも身体に歪みを生じさせたまま日々の生活を送っており、背骨が曲がったり骨盤にズレを生ずるなどの不具合が見られることが多い。慢性の肩こりや消化不良などの症状に悩まされている人もいる。これらは一般的に生活習慣病として片付けられているが、症状が進行することでいよいよ治療が必要となる。なお整体治療はこれらの症状の改善に大きく寄与するものである。【０００８】  姿勢の悪さは当然のことながら足にも歪みを生じさせる結果となる。更に足には、流行やデザインを重視した爪先の細い靴やハイヒールなど履かせられることによって、陥入爪や外反母趾や、足先の反りや捩れなどの重大な問題が生じている。男性でもサイズの合わないきつい靴などを履くことで同様の症状が現れている。そこで自分の足に合う靴を探すわけであるが、ピタリとフィットするような靴をレディーメードから探すことはほとんど不可能であり、従ってオーダーシューズ以外にはあり得ないと言って良い。しかしながら上述したようにオーダーシューズは、「現状の足に対してその足型を取るもの」であるから、足の歪みとそこから生ずる各種症状の改善には何の役にも立たないのである。ここに大きな問題が潜んでいる。【０００９】  そこでこの発明は上述したような問題を解決して、足に歪みを生じさせることが少ないインソールや履物類を製造するべく、これまでにない新しい型の製造方法と、この方法を用いて作られる新規な型を提供することを課題とする。
【課題を解決するための手段】
【００１０】  当発明者は鋭意研究の結果、従来のオーダーメード靴製造に於いては足に靴を合わせるとは言うもののその足の健康状態には殆ど関心がなく、それどころか足の健康状態などと言うことには全く意識がないままに靴型を製造していることに思い至った。すなわち現状の足に対してその足型をいかに正確に取るかが重要な関心事だったのである。特開平０１−１７５８０２号のように、靴を履く時は体重が掛かって足が変形した状態になるので、その状態を再現すると言うものすらある。そこで当発明者は、現状の足をまず正常な足になるような方向性を出すべく、足に体重を掛けることを止め、そうして正常に近付いた足に付いてその型を取れば良いと言う着想を得た。体重で潰れたアーチの型を取りそれから作った履物やインソールではアーチの保護効果は弱いのである。やはり適正なアーチの型を取るべきであろう。【００１１】  上記の課題は、足に体重が掛からない姿勢を取らせつつ足の型を取る足裏型の製造方法を提供することによって達成される。このようにこの発明では、常日頃自己の体重によってアーチなどに歪みがある問題を抱えている足を、可能な限り歪みのない足に戻してから足型を取る点が特徴である。このためには身体を俯せや仰向けに寝かせて足の型を取るようにするのである。これにより型取りの作業のしやすさも大幅に向上する。なお体重から自由になった足の足裏形状の型を取ったものが足裏型であり、さらにこの足裏型を用いて補正された足の全体の型を取ったものが足型である。【００１２】  また上記の課題は、足に体重が掛からない姿勢を取らせつつ足裏の型を取って指部分を除いた部位に係るアーチ部足裏型を得る第１の工程と、このアーチ部足裏型に足を宛がい指部分の型を取って指裏型を得る第２の工程と、前記アーチ部足裏型と前記指裏型とを合わせて足全体の全体足裏型を得る第３の工程と、を経る足裏型の製造方法を提供することにより達成される。【００１３】  第１の工程では足が体重から解放されて自由になった足に付き、指部分を除いた部位に係るアーチ部足裏型を作るのである。やはり身体を俯せや仰向けに寝かせて足の型を取るようにするのであるが、寝かせることは作業者にとっても仕事がやりやすいと言う効果に繋がる。【００１４】  上記型取り材には熱可塑性樹脂や石膏や後述するギプス包帯などを任意に用いることが出来る。また例えば熱可塑性樹脂ならばギプス包帯のように足裏形状の確認を行いながら固化させると言うような足裏型の製造が可能である。【００１５】  このようにして得られた足型の理想形状は、これを床面に置いた時にアーチ部の前後の３点で床面に接地する形状である。３点とは後ろ側の踵と、前側左右の拇指球と小指球のことである。これによってアーチ全体が理想的な状態にあることが分かる。従ってこのような理想型に近づけることを意識しつつ作業を行うようにしても良い。【００１６】  ところで上述の第１の工程に於いて、体重を抜いた自然な状態の足にすると共に足裏にテーピングを行ってこの自然な足裏形状を保ちながらアーチ部足裏型を得るようにすることが出来る。体重が掛かっていない自然な足の形を、アーチ部足裏型を得るまでの間は、テーピングで支えることでよりしっかりと保持し���安定させることが可能になる。【００１７】  次に第１の工程に於いて、ギプス包帯を用いてアーチ部足裏型を得るものとすることが出来る。ギプス包帯とはギプス粉（粉末状の焼石膏）をまぶした包帯やガーゼのことであり、ギプス粉は石膏（硫酸石灰）を焼いて粉にしたものであって、これに水分を加えると固まる性質を有する。このようなギプス包帯を温湯にひたしてしぼり、体重から解放されて自由になった足に巻きつけるようにして用いる。季節にもよるが一般的なものでは５〜２０分ほどで固まる。より少ない時間で固化させるために温湯に塩を含ませることも行われる。あるいは電球の光やドライヤーの温風を当てるなどして乾燥を早める方法もある。なお理想の足裏形状と言うものをイメージしつつ、ギプス包帯が固まる間にもこの理想型に近づけるようにマッサージを施したり、理想の足裏型を用意しておきこれを足裏に宛がうようにすることで、より正確なアーチ部足裏型を取得することが可能である。【００１８】  さて第２の工程では、第１の工程で得られたアーチ部足裏型に足を宛がい指部分の型を取って指裏型を得るようにしている。第１の工程では体重を掛けないことで自然な状態の足にしてそのアーチ部足裏型を得たわけであるが、この第２の工程に進むまでにユーザーの足が変形してしまうような場合がある。そこで第１の工程で得られたアーチ部足裏型にユーザーの足を宛がったら、手業を用い足裏がピタリとアーチ部足裏型に着くように押さえるなどして、足をアーチ部足裏型に合わせる調節を行うようにする。【００１９】  アーチ部足裏型に足を合わせることで親指から小指までの５指の間が開いて来る。この状態は恰も指部分に整体を施したのと同じような状態である。そこで石膏などの型取り材を指の部分の下側に置いて手業を用い力を掛けて指裏の部分の型を取るのである。このようにして足先の反りや捩れや外反母趾などと言った問題が補正された指裏型を得ることが出来る。【００２０】  最後に第１の工程で得られたアーチ部足裏型と第２の工程で得られた指裏型とを合わせて足全体の全体足裏型を得る第３の工程を経ることで、足全体の全体足裏型を得ることが出来る。アーチ部足裏型部分は理想的にはアーチ部の前後の３点で床面に接地するようになっていることが望ましい。また指裏型部分は開いた状態の指から取られた部分である。これ等を合わせて好ましい状態の全体足裏型となる。【００２１】  ところでアーチ部足裏型を得た後に指部分の型を取って指裏型を得ると言う場合、次の２タイプが容易に実施可能である。第１は体重を掛けずに取った足裏の型を雌型として、上記前側２点より前方の指部分に詰め物をした上でこの雌型に石膏などの型取り材を流し込み、このようにして得られた指部分の型を有さない状態の雄型すなわちアーチ部のみの雄型を、型枠内に流し込んだ石膏などの型取り材に納めて、指部分の型を有さない状態の雌型を作る。この雌型はやはりアーチ部のみの雌型である。そこで型枠内の指部分に相当する部分に石膏などの型取り材を入れ、ユーザーの足をアーチ部のみの雌型に載せると、ユーザーの指部分は型取り材の上に位置することになるため、ユーザーの指部分に掌で力を加えて型取り材に押し込むようにする。こうしてアーチ部の雌型の前方に指部分の雌型が新たに追加されて全体足裏型が得られるのである。【００２２】  第２は足の体重を掛けずに取った足裏の型を雌型とし、上記前側２点より前方の指部分を鋏などでカットしてアーチ部のみの雌型を得たら、この雌型にユーザーの足を嵌め合わせて、この状態で型取り材を用いてユーザーの指部分の型を取り、アーチ部の雌型の前方に指部分の雌型を作って、全体足裏型を得るようにするのである。第２の方法は上述したギプス包帯を用いる場合にも適用可能である。なお前方の指部分をカットすると言う意味では、指部分を含めて石膏などの型取り材を流し込み、石膏が固まったら指部分を鋸などを用いて切除することでも実現し得る。何れにせよ前方の指部分をカットするに際しては上記３点の内の特に拇指球部分と小指球部分の盛り上がりを損ずることのないように注意を払う必要がある。【００２３】  またこの発明では、上述したような足裏型の製造方法を用いて更に足に前記全体足裏型の雌型を宛がい足の全体の型を取って足型を得る、足型の製造方法を提供する。足裏全体の全体足裏型が得られたら雌型の全体足裏型から全体足型を作ることが出来る。この場合も、この雌型の全体足裏型に足を載せて足の周りの形を石膏などの型取り材で取り、全体足型の雌型を作成して、この雌型を用いて全体足型を得るようにする方法と、上記雌型の全体足裏型から一旦雄型の全体足裏型を作り、これを元にして雌型の全体足裏型を作成して、これに足を載せて足の周りの形を取り、この雌型から全体足型を得るようにする方法とがある。またこの際にギプス包帯を用いて前記足型の雌型を取り、更にこの雌型を用いて雄型を得るようにしても良い。【００２４】  さて上述したような製造方法を用いて製造された足裏型や足型を使用すれば、靴、地下足袋、サンダル、スリッパ、靴のインソール等々を製造して提供することが出来る。一般的にはこれ等を足型から製造するが、足裏型から直接製造することも十分可能である。
【発明の効果】
【００２５】  この発明によれば、従来例のようにただ現状の足に対してその足型をいかに正確に取るかを重視するのではなく、体重が掛かっていない自然で好ましい状態の足に戻しておき、このような足に付いてその型を取るようにしたので、型取り作業がしやすく、この型を元に作られた履物類によればアーチ全体や指のあるべき姿を保つことが出来ると言う効果を奏する。【００２６】  なおこの発明により提供された履物を履き続けた結果の足に付いて、数ヶ月〜数年後にまたこの発明の方法で足裏型や足型を作り、履物を作ることで、更に良好な結果を得ることが出来る。なおユーザーの足型を取る前の足とこの履物を履き続けた後の足とを、写真撮影によって比較することによってその違いを明らかにして見せることが出来る。
【図面の簡単な説明】
【００２７】
【図１】実施例１の製造工程の説明図である。
【図２】実施例１の足裏型の説明図である。
【図３】実施例１の指先部分が修正された足裏型の説明図である。
【図４】実施例１の足型の取り方を表す説明図である。
【図５】実施例１の足型の説明図である。
【図６】実施例２のアーチ部足裏型の説明図である。
【図７】実施例２の製造工程の説明図である。
【図８】実施例２の指裏型の取り方を表す説明図である。
【図９】実施例２の足型の取り方を表す説明図である。
【図１０】実施例２の足型の説明図である。
【図１１】実施例３の製造工程の説明図である。
【発明を実施するための形態】
【実施例１】
【００２８】  この実施例によれば、体重が掛かった状態の足を、身体を寝台上に俯せに寝かせることで体重が掛かっていない状態の足にして、足の特にアーチ部分を寛げておいてから、この足に付いて型を取るようにすべく、図１に表したような工程を辿って靴を製造している。すなわち身体を俯せに寝かせて足に体重が掛からないようにし（ステップＳ１）、歪みが小さくなった足全体の足裏型を作り（ステップＳ２）、この足裏型から足型を作り（ステップＳ３）、この足型を以て靴の製造を行うのである（ステップＳ４）。身体を寝台上に寝かせているため特にステップＳ２に係る作業者の負担が少ない。ここで特筆すべきは、足のアーチ形状が正常ではない状態に向かおうとしても、この発明によって得られた靴を履くことで足の形状が補正される可能性があることである。【００２９】  なおステップＳ２に関して図２で表すようにギプス包帯１を用いる例を上げる。ギプス包帯１を温湯にひたして絞り、アーチ形状の歪みが小さくなった足裏を覆うと、１０分ほどして固まって自然なアーチ形状の足型が得られる。次いで足の周囲にも巻くと、図２（Ａ）で表した足裏型が得られる。この足裏型の特徴は体重を掛けていない自然な形状のアーチの写しであることである。このギプス包帯１で出来た足裏型に未硬化の石膏を流し込んで雄型の足裏型を取ると図２（Ｂ）の足裏型１０が得られる。ギプス包帯１の詳細は実施例２でも説明する。この足裏型１０の指先部分にヤスリを掛けるなどして各指の形状を整え、図３で示すように型枠３の中に上記雌型の足裏型１０を納め、この全体足裏型に未硬化の石膏４を流し込み雄型の全体足裏型１０’を取る。【００３０】  続いて、図４で表すようにガーゼ様のギプス包帯６を温湯にひたして絞り、この雌型の全体足裏型１０’の上に靴下を着用した足を載せ、ギプス包帯６で足の全体を包んで雌型の足型を取り、ユーザーの足を抜いたらこの雌型の足型に未硬化の石膏を流し込んで硬化させると、図５のような雄型の足型７を得ることが出来る（ステップＳ３）。この足型を使用して靴を作るのであるが（ステップＳ４）、ここからは既存の技術を利用して良い。例えばこの足型７に所要の肉盛りや切削を行ないこれを元に木型を製作し、この木型から靴を作る。
【実施例２】
【００３１】  この実施例を図６乃至図１０を用いて説明する。身体を俯せに（寝かせて足に体重が掛からないようにしたら（ステップＳ５）、ギプス包帯１を温湯にひたして絞り体重から解放されて自由になった足の足裏を覆い、１０分ほどして固まると足裏型が得られる（ステップＳ６）。ギプス包帯の用い方の一例を上げると、まず足底を覆い、次いで恰も舟形を作るように足の周囲に巻くのであるがこの際に先の足底とも重なり合うようにして行い、再度足底を張って舟底を形成する。なお体重から解放されて自然な形状のアーチになった足にテーピングを施して足を補正した状態に固定するステップＳ１５の工程をステップＳ５とステップＳ６との間に入れるようにするとより良い。なお俯せ以外には仰向けの姿勢を取らせても良く、また事情によっては横向きと言う場合も可能である。【００３２】  このようにして図６（Ａ）で表した足裏型を得るが、符号２０はステップＳ６のギプス包帯１１で覆った指周り部である。この足裏型の特徴は、体重が掛かっていない足裏形状を獲得した足の写しであり、これを床面に置いた時にアーチ部の後ろ側の踵部１２と前側左右の拇指球部１１３と小指球部１４との３点で床面に接地するのが理想である。【００３３】  このギプス包帯１で出来た足裏型の指周り部２０の中に粘土などで詰め物をして、この他の部分に未硬化の石膏を流し込んで雄型のアーチ部足裏型を取ると（ステップＳ７）、図６（Ｂ）のアーチ部足裏型１５を得る。符号２１は先部に詰め物をすることで指部分を除外したことによる除外縁部である。次いで型枠と未硬化の石膏を用いて上記アーチ部足裏型１５から指部分のない雌型を製作する（ステップＳ８）。指部分をなくするには型枠の指部分に詰め物をすれば良い。あるいは指部分を含めて石膏を流し込み、石膏が固まったら指部分を切除することでも実現し得る。ここまでがこの実施例２の第１の工程に相当する。【００３４】  この実施例の第２の工程は、図８で表すように型枠３の中に上記雌型を納め、除外縁部２１より先に来る指部分に粘土程度の柔らかさの石膏４を置いて、ユーザーの足を雌型に載せたら、両掌でユーザーの指部分を石膏４に押し付けて指裏型４０を取ると、アーチ部足裏型１５と指裏型４０とから成る雌型の全体足裏型５が得られる（ステップＳ９）。【００３５】  このようにして得られた雌型の全体足裏型５から最終的な足型を得るには、図９で表すようにする。すなわちここからがこの実施例の第３の工程になるが、上記雌型の全体足裏型５に未硬化の石膏を流し込み雄型の全体足裏型を取り（ステップＳ１０）、型枠と未硬化の石膏を用いて上記雄型の全体足裏型からこの雌型の全体足裏型５’を作る（ステップＳ１１）。これによればアーチ部足裏型と指裏型の間には上記除外縁部２０のような境界はなく一体のものとなっている。そしてガーゼ様のギプス包帯６を温湯にひたして絞り、この雌型の全体足裏型５’の上に靴下を着用した足を載せて、ギプス包帯６で足の全体を包んで雌型の足型を取り（ステップＳ１２）、ユーザーの足を抜いたらこの雌型の足型に未硬化の石膏を流し込んで硬化させると図１０のような雄型の足型７を得ることが出来る（ステップＳ１３）。この足型を使用して靴を作るの��あるが（ステップＳ１４）、ここからは既存の技術を利用して良い。例えばこの足型７に所要の肉盛りや切削を行ないこれを元に木型を製作し、この木型から靴を作る。【００３６】  このようにして得られた靴は、ユーザーの自然な形状の足にほぼ適合するものであるから、ユーザーの足がまた変形したとしてもこの靴を履くことで足形状を補正してくれると言う効果がある。そしてこの靴の履き心地はリアルな足裏を反映した言わばハダシ以上のハダシであると言うことが出来る。またこの靴を履くことは、足裏のアーチ形状を正しく保つことであるから姿勢矯正や内臓強化や代謝促進などが期待される。
【実施例３】
【００３７】  この実施例を図１１で表すが、ここでは実施例２で図６を用いて説明した、体重を掛けていない状態の足をギプス包帯で包んで雌型の足裏型を取るステップＳ６から左へ分岐してステップＳ１６に移行し、ステップＳ６のギプス包帯１１で足裏を覆って得た足裏型に対して、この指部分を鋏でカットして雌型のアーチ部足裏型を作り（ステップＳ１６）、このアーチ部足裏型にユーザーの足を填め込み、この足の指部分の下側に粘土程度の柔らかさの石膏４を置いて、両掌でユーザーの指部分を石膏４に押し付けて指裏型４０を取ると、この指裏型４０とアーチ部足裏型とが除外縁部２１で接合して成る雌型の全体足裏型８が得られる（ステップＳ１７）。この実施例ではステップＳ６の足裏型の指部分を鋏でカットして除去することで、このカット部分に除外縁部２１が形成される。アーチ部足裏型にユーザーの足を填め込むとユーザーの足の指部分はこの除外縁部２１から前方に突出することになる。当然のことながら除外縁部２１は、上記３点の内の前側左右の拇指球部１３および小指球部１４より前方に位置している。【００３８】  この実施例では第２の工程と第３の工程とが明確に区別されない。指裏型４０を取るのは第２の工程に属するし、これによって雌型の全体足裏型８を得るのは第３の工程に属することになるのであるが、この２つの工程がステップＳ１７だけで済んでしまうからである。すなわちこの実施例は、アーチ部足裏型に足を宛がい指部分の型を取り指裏型を得て前記アーチ部足裏型と前記指裏型とが接合した足全体の全体足裏型を得る製造方法なのである。この発明はこのような場合をも包含している。【００３９】  更に全体足裏型から足型を取ったりこの足型から靴を作る場合には、ステップＳ１７に続けて実施例２で図３を用いて説明したステップＳ１２に移行すれば良い。こうして得られた靴はユーザーの足を型取りした直後の足、すなわち体重が掛かっていない自然な状態のアーチ形状に補正してくれる作用を現す場合がある。
【産業上の利用可能性】
【００４０】  この発明は一般客を対象にするのみならずリハビリ施設などでの実施を対象にすることが出来る。身体を寝かせた姿勢で足型を取るため、作業者のみならず患者にとっても極めて楽な作業である。またこの際に販売ではなくレンタルでの提供が可能である。
【符号の説明】
【００４１】１  ギプス包帯
１０，１０’  足裏型
１１  ギプス包帯
１２  踵部
１３  母指球部
１４  小指球部
１５  アーチ部足裏型
２  指先修正部
２０  指周り部
２１  除外縁部
３  型枠
４  石膏
４０  指裏型
５，５’  雌型の全体足裏型
６  ギプス包帯
７  足型
８  雌型の全体足裏型
【図１】
2013226362.tif 000003
【図２】
2013226362.tif 000004
【図３】
2013226362.tif 000005
【図４】
2013226362.tif 000006
【図５】
2013226362.tif 000007
【図６】
2013226362.tif 000008
【図７】
2013226362.tif 000009
【図８】
2013226362.tif 000010
【図９】
2013226362.tif 000011
【図１０】
2013226362.tif 000012
【図１１】
2013226362.tif 000013